(57)【特許請求の範囲】
【請求項１】
チャック（１）及びこれに同軸状に固定されたツール（２）の回転運動とツール（２）の軸芯方向往復運動とが要求される、切屑を削り出して加工するためのツール保持チャックにおいて、
ツール（２）が、チャック（１）の本体（１ｄ）に収容された中空部材（７）に固定されており、この中空部材（７）は本体（１ｄ）に対して回転運動可能で且つ軸芯方向に直進運動可能に設けられ、
リニアモータの一部を構成する複数の磁石（４ｎ）は上記中空部材（７）に固定されており、このリニアモータのステータ巻線（４ｓ）は、中空部材（７）の周囲に設けられ上記チャック（１）の本体（１ｄ）に収容されており、上記複数の磁石（４ｎ）は、間隙（５ｔ）により互いに離間していることを特徴とする、ツール保持チャック。
【請求項２】
上記ツールは、上記中空部材（７）に同軸状に収容された内軸（３）の凹部（３ｃ）に固定されることによって、中空部材（７）に取付けられている、請求項１に記載のツール保持チャック。
【請求項３】
上記複数の磁石（４ｎ）は、永久磁石であり、上記ステータ巻線（４ｓ）に電流が流れることによって形成される電磁場の影響により軸芯方向に推進力を得るように配置されており、上記電流はステータ巻線（４ｓ）をいずれの方向にも流れること可能であり、上記ステータ巻線（４ｓ）は上記中空部材（７）を周方向に取巻くように巻かれている、請求項１または２に記載のツール保持チャック。
【請求項４】
上記複数の磁石（４ｓ）は、横断面において各々が冠状扇形をしており、その内周面が内軸（３）の円筒状外周面（Ｓｅ）に密着している、請求項１〜３のいずれか１つに記載のツール保持チャック。
【請求項５】
上記複数の磁石（４ｎ）は、鉄−ネオジム−ホウ素系の磁石であり、４個の磁石を１つのグループとして２つのグループを構成し、各グループにおいて半径方向の上記間隙（５ｔ）により周方向に互いに離間している、請求項１〜４のいずれか１つに記載のツール保持チャック。
【請求項６】
上記複数の磁石（４ｎ）は、各々が有するＮ極とＳ極を通る軸線がツールを同軸状に収容する内軸（３）の軸芯（Ｋ−Ｋ）に対して平行となるように設けられている、請求項１〜５のいずれか１つに記載のツール保持チャック。
【請求項７】
上記中空部材（７）の一端（７ｃ）には、電気モータ（６）のロータ（６ｒ）が取付けられ、この電気モータ（６）のステータ（６ｓ）はチャック（１）の本体（１ｄ）に固定されている、請求項１〜６のいずれか１つに記載のツール保持チャック。
【請求項８】
上記電気モータ（６）は、三相型のステータ（６ｓ）とかご型巻線を備えた三相型のロータ（６ｒ）とからなる三相モータである、請求項７に記載のツール保持チャック。
【請求項９】
上記本体（１ｄ）が工作機械に取付けられ、この工作機械は、ツール（２）の軸芯（Ｋ−Ｋ）に対して直交する方向に本体（１ｄ）を移動可能にする手段（８）を備えている、請求項１〜８のいずれか１つに記載のツール保持チャック。
【発明の詳細な説明】
【０００１】
【発明の属する技術分野】
本発明は、切屑を削り出して加工する、いわゆる切削加工を施す工作機械に関する。より具体的には、作動時のツールについて、ツールの軸芯周りの回転運動と、更に、ツールが加工移動を遂行しその後に初期位置に復帰するために軸芯方向の直線往復運動とが必要とされる工作機械に関する。
【０００２】
【従来の技術】
このような工作機械の技術分野においては、従来、一般的に、リニアモータを備えるシステム又はこれと同様の直線往復運動を実現する機械的動作システムにより、ツールベアリングチャックを支持するスライド上にて当該ツールベアリングチャック全体を往復動させることで、ツール自体の直線往復運動を達成していた。これらのシステムは当業者に広く知られるところである。
【０００３】
しかしながら、これらのシステムでは、往復運動を実現するために複雑な構造を必要とし、また、ツール保持部のサイズが比較的長大化してしまうため、当該ツール保持部の質量が否応無しに増大してしまう。そのため、これらのシステムによって実現される往復運動は、比較的動作が鈍いという欠点があり、より高速な往復運動がツールに要求される機械加工にあっては、充分なものではなかった。更に、上記機械構造の複雑化・長大化は、これらのシステムを採用する工作機械の製造においてコストアップを招来していた。
【０００４】
【発明が解決しようとする課題】
そこで、本発明は、単純で軽量な動作機構を備えることにより高速なツールの往復運動を実現する軸芯方向ツール動作用リニアモータ付チャックを提供し、上述の問題を解消または軽減することを課題とする。
【０００５】
【課題を解決するための手段】
上記課題を解決するために、本発明に係る軸芯方向ツール動作用リニアモータ付チャックは、チャック及びこれに同軸状に固定されたツールの回転運動とツールの軸芯方向往復運動とが要求される、切屑を削り出して加工するためのツール保持チャックであり、ツールが、チャックの本体に収容された中空部材に固定されており、この中空部材は本体に対して回転運動可能で且つ軸芯方向に直進運動可能に設けられ、リニアモータの一部を構成する複数の磁石は上記中空部材に固定されており、このリニアモータのステータ巻線は、中空部材の周囲に設けられて上記チャックの本体に収容されていることを特徴とする。
【０００６】
本発明によると、チャックの本体に収容されたリニアモータが中空部材に取付けられたツールの軸芯方向の往復運動を達成する。即ち、電流がリニアモータのステータ巻線を適切な方向へ流れることによってステータ巻線の周囲に磁場が形成され、この磁場が、チャック本体に対して相対動可能に設けられた中空部材に固定された磁石が形成する磁場と相互作用するため、ステータ巻線に対して磁石を適切に配向させることによって、上記相互作用は中空部材の軸芯方向への推進力を生む。そして、ステータ巻線の電流を逆方向に流すと、上記推進力に代わって反対方向の推進力が生じる。従って、電流の流れ方向の交互切換えを繰り返すことによって、中空部材ひいては中空部材に一体的且つ同軸状に設けられたツールが往復運動をすることとなる。
【０００７】
更に、本発明によると、リニアモータをチャック本体に収容することにより、ツールを含む回転可動部のみを往復運動させ得るので、両運動を同時に実現するための複雑な機構が必要とされない。また、往復運動をする可動部は主に中空部材であるので軽量であり、従って、ツールの運動は高速に達するのである。
【０００８】
好ましくは、上記ツールは、上記中空部材に同軸状に収容された内軸の凹部に固定されることによって、中空部材と一体化されている。
【０００９】
好ましくは、上記複数の磁石は、永久磁石であり、上記ステータ巻線に電流が流れることによって形成される電磁場の影響により軸芯方向に推進力を得るように配置されており、上記電流はステータ巻線中をいずれの方向にも流れることが可能であり、上記ステータ巻線は上記中空部材を周方向に取巻くように巻かれている。
【００１０】
リニアモータを構成する磁石として永久磁石を採用すれば、複雑な回路により電磁石を構成することなく、更に可動部の軽量化が達成され、高速化に寄与する。
【００１１】
好ましくは、上記複数の磁石は、横断面において各々が冠状扇形をしており、その内周面（円弧面）が内軸の円筒状外周面に密着している。
【００１２】
好ましくは、上記複数の磁石は、鉄−ネオジム−ホウ素系の磁石であり、４個の磁石を１つのグループとして２つのグループを構成し、各グループ内の磁石は半径方向の間隙により周方向に互いに離間している。
【００１３】
好ましくは、上記複数の磁石は、各々が有するＮ極とＳ極を通る軸線がツールを同軸状に収容する内軸の軸芯に対して平行となるように設けられている。
【００１４】
好ましくは、上記中空部材の一端には、電気モータのロータが取付けられ、この電気モータのステータはチャックの本体に固定されている。
【００１５】
好ましくは、上記電気モータは、三相型のステータとかご型巻線を備えた三相型のロータとからなる三相モータである。
【００１６】
好ましくは、上記本体が工作機械に取付けられ、この工作機械は、ツールの軸芯に対して直交する方向に本体を移動可能にする手段を備えている。
【００１７】
チャック本体をスライドで支持し、チャック可動部の軸芯と直交する方向に滑動可能に構成することにより、切削加工等の機械加工において、チャックの立体的な活用が可能となるので、本発明によるチャックを使用した場合の加工能力が向上する。
【００１８】
いずれにしても、これまで述べてきたことから理解できるように、本発明の要旨は、請求項１に前提条件として記載された構成に、請求項１の特徴部分の記載によって特徴付けられている構成を有するツール保持チャックである。
【００１９】
【発明の実施の形態】
以下、本発明の実施形態を添付図面を参照しながら説明するが、本発明は当該実施形態に限定されるものではない。なお、図１は、本発明によるチャックの長手方向断面図であり、図２は、チャックの一部を構成するとともに、ツールが取付けられる中空部材を示す長手方向断面図である。また、図３は、図２の中空部材における、リニアモータを構成する可動磁石が備えられた領域の横断面図である。
【００２０】
図１を参照すると、チャック１の本体１ｄの中で、中空部材７が、本体１ｄに対して回転運動及び軸芯Ｋ−Ｋ方向の運動が可能となるように、如何にして収容され、また、連結されているかが示されている。本機構の可動部である中空部材７は、リニアモータを構成するステータ巻線４ｓ及び複数の永久磁石４ｎ、並びに電気モータ６を構成するステータ６ｓ及びロータ６ｒを介してチャック１の本体１ｄに収容される。中空部材７には内軸３が一体的かつ同軸状に収容されており、この内軸３は、この実施形態においては中空であり、凹部３ｃにてツール２が固定設置される。
【００２１】
図２に示されているように、中空部材７には凹所７ｉが寸法的に適切に形成され、ここにリニアモータの一部を構成する複数の永久磁石４ｎが収容される。複数の永久磁石４ｎは、４つで１セットととし２セット用いる。これら４つの永久磁石はその横断面において、図３に示されているように、各々が冠様の扇形の形状をしている。即ち、内軸３の円筒状外周面Ｓｅに固定されており、また、半径方向に延びる間隙５ｔを形成するように配置されている。この間隙５ｔには、磁気装置ないし電磁気装置に関わる当業者に広く知られている合成樹脂が充填されている。また、２セットの永久磁石４ｎは、共に、各セットのＳ−Ｎ極の軸線を中空部材７ないしツール２の軸芯Ｋ−Ｋと平行となるように配置され、且つ、図１または図２に示されるように、各々の磁極の方向を対向させて軸芯Ｋ−Ｋ方向に互いに離間するように離隔５ｓを有して配置されている。本実施形態においては、永久磁石４ｎとして、鉄−ネオジム−ホウ素系合金を採用しているが、これに限らず、他の成分系の永久磁石または電磁石を採用してもよい、中空部材７への固定および磁石の使用数に関しても、リニアモータを構成する限りにおいて別の態様をとってもよい。
【００２２】
このようにして、中空部材７及び内軸３に固定された永久磁石４ｎは、リニアモータ４の可動部を構成する。これに対し、ステータ巻線４ｓは、中空部材７に固定された永久磁石４ｎの各セットに対応して周囲に配置され、且つ、チャック１の本体１ｄに固定されており、永久磁石４ｎとともにリニアモータを構成している。本実施形態においては、ステータ巻線４ｓは中空部材７や永久磁石４ｎを単に周状に取巻き、永久磁石４ｎは、ステータ巻線４ｓに流した電流の方向によって定まる軸芯Ｋ−Ｋ方向の何れかの方向に推進力を受けるようにＮ極およびＳ極を向けて配置されている。
【００２３】
ステータ巻線４ｓに通電する電流の方向を適切に切換えることにより、中空部材７及びこれに装着されたツール２を軸芯Ｋ−Ｋ方向の２方向に連続的に作動させることができる。従って、ツール２が前方移動即ち切削移動し、引き続き初期待機状態に後退移動することが可能となるのである。そして、このような電流方向の切換えを継続することによって、ツール２の往復運動が維持される。
【００２４】
一方、中空部材７のツール２とは反対端である自由端７ｃは、電気モータ６のロータ６ｒに固定されており、電気モータ６のステータ６ｓは、チャック１の本体１ｄに固定収容された巻線を有する。本実施例において、中空部材７とツール２を回転駆動させる電気モータ６は、非同期型モータであり、かご形巻線を有するが、他の型のモータも不都合がなけれが使用してもよい。
【００２５】
電気モータ６を稼動すると、中空部材７及びこれに一体的に設けられたツール２は所望の動作速度で軸芯Ｋ−Ｋ周りに回転するが、その回転速度は、当該システムの質量がある程度小さく抑えられ、且つ、ツールの前方運動に対する抵抗が殆どない状態においては、最速で毎分３００，０００回転にも達する。
【００２６】
また、図１に示されるように、チャック１の本体１ｄの外壁には、スライド８に適応した部材が備えられており、これを介して本体１はスライド８に滑動可能に支持される。スライド８は外部工作機械本体の機構の一部を構成しており、当該工作機械本体はチャック１を立体的に操作してこれを使用する。
【００２７】
本発明によると、上述のとおり、ツール２を作動させ、電気モータ６により達成される軸芯Ｋ−Ｋを回転軸芯とする回転運動と、リニアモータ４により達成される軸芯方向の往復運動とを同時に達成する構成が互いに冒されることなく成立している。そして、本装置の可動部分全体、即ち、中空部材７、永久磁石４ｎ、内軸３及びツール２によって構成される系の質量を小ならしめることによって、従来は大質量であったためにその慣性力によって阻まれていた可動部の高速化を達成することができるのである。
【００２８】
具体的には、発明者らによる本発明に係るツール保持チャックの試験運転によると、当該チャックに取付けられたツールは、軸芯方向において両方向へ直線運動をし、潜在的には重力加速度ｇの６倍までの加速度を得ることが明らかとなった。即ち、本発明に係るツール保持チャックに取付けられたツールは最大約５９ｍ／ｓ2の加速度にて動作し得るということであり、これにより、従来は問題とされている動作速度の問題を解決し、良好な機械加工が可能となった。
【００２９】
尚、中空部材７、内軸３、及びリニアモータを構成する種々の部品等の全ての部材は、請求項１に教示される範囲において、本発明の上記以外の実施形態を実現するために、性質、形、配置、配接を種々に変更することは可能である。そして、これらの実施形態は本発明の保護を享受する範囲をなんら逸脱しないことは明らかである。
【図面の簡単な説明】
【図１】  本発明によるチャックの長手方向断面図である。
【図２】  チャックの一部を構成するとともに、ツールが取付けられる中空部材を示す長手方向断面図である。
【図３】  図２の中空部材における、リニアモータを構成する可動磁石が備えられた領域の横断面図である。
【符号の説明】
１    チャック
２    ツール
３    内軸
４ｓ  ステータ巻線
４ｎ  永久磁石
５ｔ  間隙
５ｓ  離隔
６ｓ  ステータ
６ｎ  ロータ
７    中空部材
８    スライド
Ｓｅ  円筒状外周面
【図１】
0004587508.tif 000002
【図２】
0004587508.tif 000003
【図３】
0004587508.tif 000004